(57)【要約】【課題】  歯科補綴物設計での表面処置のための方法、システム、コンピュータ読み取り可能な媒体、技術及び工程を提供する。【解決手段】  これらは、歯科補綴物の模型の表面を修正するためのインターフェースを準備することを含む。このインターフェースは、操作者、歯科医、歯科従業者、または他の適切な人にコンピュータ及びコンピュータディスプレイを介して提供されることができる。操作者は、操作者が模型の表面に層または他の限られた処置を付加したいと思う領域を提供する。これは、表面への付加または表面からの引き去りを含むことができる。操作者が表面上を処置する（例えば層を付加または引き去る）ために追加の領域を規定するとき、常にそれらの幾つかは重複する。従来の方法とは異なり、この重複は、その層のための予め決められた限度を越えて表面に付加される量を増やさない。これは、歯科補綴物にきれいに付加される層または歯科補綴物からきれいに引き去る層を操作者が規定することを可能にする。【選択図】  図１
2013535263.tif 000002
【特許請求の範囲】
【請求項１】
歯科補綴物設計での表面処置のためのコンピュータ実施方法において、この方法が：
歯科補綴物の模型の表面を修正するためのコンピュータベースのインターフェースを準備すること；
操作者が模型の表面の限られた処置を実施したいと思う一組の領域をコンピュータベースのインターフェースを介して受けること；及び
操作者から受けた領域内の重複にかかわらず、その一組の領域に基づいた表面の限られた処置と関連した限度まで表面の部分を処置すること；
を含み、
さらに表面の部分を処置することが、一つ以上のコンピュータ処理器を使用して表面の部分を処置することを含むことを特徴とする方法。
【請求項２】
一組の領域を受けることが、一組の領域内の第一領域及び一組の領域内の第二領域を受けることを含み、さらに第一領域と第二領域が特定の重複領域内で重複すること；及び
表面の部分を処置することが、特定の重複領域と関連した表面の部分を限られた処置と関連した限度までのみ処置することを含むこと；
を特徴とする請求項１に記載の方法。
【請求項３】
境界帯が一組の領域内の領域の縁と関連しており、表面の部分を処置することが、境界帯での限られた処置と関連した限度より小さい表面の部分を処置することを含むことを特徴とする請求項１に記載の方法。
【請求項４】
表面の部分を処置することが、一組の領域内の関連領域から離れた境界帯の縁で境界帯の処置をゼロまで漸減することを含むことを特徴とする請求項３に記載の方法。
【請求項５】
表面の特定の部分を処置することが：
一組の領域内の第一領域に基づいた第一処置量を決定すること；及び
一組の領域内の第二領域に基づいた第二処置量を決定すること；
を含むことを特徴とする請求項１に記載の方法。
【請求項６】
表面の特定の部分を処置することが、第一処置量と第二処置量の最大量に基づいて決定された量により表面の特定の部分を処置することを含むことを特徴とする請求項５に記載の方法。
【請求項７】
表面の特定の部分を処置することが、第一処置量と第二処置量の関数に基づいて決定された量により表面の特定の部分を処置することを含むことを特徴とする請求項５に記載の方法。
【請求項８】
一組の領域を受けることが、模型の表面上の領域を受けることを含むことを特徴とする請求項１に記載の方法。
【請求項９】
一組の領域を受けることが、操作者によりなされたマウス移動を受けることを含むことを特徴とする請求項１に記載の方法。
【請求項１０】
一組の領域を受けることが、一つ以上のキーストロークを受けることを含むことを特徴とする請求項１に記載の方法。
【請求項１１】
表面上の限られた処置と関連した限度を操作者から受けることをさらに含むことを特徴とする請求項１に記載の方法。
【請求項１２】
一組の領域を受けることが、一組の場所を受けること、及び各場所と領域を関連させることを含むことを特徴とする請求項１に記載の方法。
【請求項１３】
領域の寸法を受けて一組の場所内の各場所と関連させることをさらに含むことを特徴とする請求項１２に記載の方法。
【請求項１４】
歯科補綴物設計での表面処置のためのシステムにおいて、このシステムが：
歯科補綴物の模型の表面を修正するためのコンピュータベースのインターフェースを準備するように；
操作者が模型の表面の限られた処置を実施したいと思う一組の領域をコンピュータベースのインターフェースを介して受けるように；及び
操作者から受けた領域内の重複にかかわらず、その一組の領域に基づいた表面の限られた処置と関連した限度まで表面の部分を処置するように；
構成された一つ以上のコンピュータ処理器を含むことを特徴とするシステム。
【請求項１５】
一組の領域を受けることが、一組の領域内の第一領域及び一組の領域内の第二領域を受けることを含み、さらに第一領域と第二領域が特定の重複領域内で重複すること；及び
表面の部分を処置することが、特定の重複領域と関連した表面の部分を限られた処置と関連した限度までのみ処置することを含むこと；
を特徴とする請求項１４に記載のシステム。
【請求項１６】
境界帯が一組の領域内の領域の縁と関連しており、表面の部分を処置することが、境界帯での限られた処置と関連した限度より小さい表面の部分を処置することを含むことを特徴とする請求項１４に記載のシステム。
【請求項１７】
一組の領域を受けることが、模型の表面上の領域を受けることを含むことを特徴とする請求項１４に記載のシステム。
【請求項１８】
歯科補綴物設計での表面処置の方法を実施するためのコンピュータ実行可能な命令を含むコンピュータ読み取り可能な記憶媒体であって、その方法が：
歯科補綴物の模型の表面を修正するためのコンピュータベースのインターフェースを準備すること；
操作者が模型の表面の限られた処置を実施したいと思う一組の領域をコンピュータベースのインターフェースを介して受けること；及び
操作者から受けた領域内の重複にかかわらず、その一組の領域に基づいた表面の限られた処置と関連した限度まで表面の部分を処置すること；
を含むことを特徴とするコンピュータ読み取り可能な記憶媒体。
【請求項１９】
一組の領域を受けることが、一組の領域内の第一領域及び一組の領域内の第二領域を受けることを含み、さらに第一領域と第二領域が特定の重複領域内で重複すること；及び
表面の部分を処置することが、特定の重複領域と関連した表面の部分を限られた処置と関連した限度までのみ処置することを含むこと；
を特徴とする請求項１８に記載のコンピュータ読み取り可能な記憶媒体。
【請求項２０】
境界帯が一組の領域内の領域の縁と関連しており、表面の部分を処置することが、境界帯での限られた処置と関連した限度より小さい表面の部分を処置することを含むことを特徴とする請求項１８に記載のコンピュータ読み取り可能な記憶媒体。
【請求項２１】
一組の領域を受けることが、模型の表面上の領域を受けることを含むことを特徴とする請求項１８に記載のコンピュータ読み取り可能な記憶媒体。
【発明の詳細な説明】
【技術分野】
【０００１】
本発明は、一般的に歯科計画、より詳細には歯科補綴物設計での表面処置に関する。
【背景技術】
【０００２】
歯科補綴物を設計するためのコンピュータシステムの使用は、近年増加している。コンピュータシステムは、歯科医、歯科技術者、または他の操作者が個々の患者のための歯科補綴物を設計することを可能にする。これらの個々の補綴物設計は、「シチュエーション（ｓｉｔｕａｔｉｏｎ）」、「歯科計画」、または「補綴物計画」と呼ばれることが多い。コンピュータシステムを使用する操作者は、歯の形状及び位置のライブラリー、患者データ、及び利用可能な器具及びハードウエアに基づいて計画を設計することができる。
【０００３】
現在のシステムの持つ問題は、それらが設計される歯科補綴物の表面を処置するために限られた方法しか与えないことである。これらの限られた処置は、操作者が設計される歯科補綴物の表面に比較的均一な材料の「層」を付加したりまたはその表面から引き去ったりすることを困難にしうる。材料の均一層を付加したり引き去ったりすることは、少しの例を挙げてみただけでも、操作者が安定性の理由のために歯冠または補綴物の一部を厚くしたいときや輪郭を著しく変えることなしに歯冠の厚さを増やしたいときに重要でありうる。これらの問題及びその他の問題は、ここに述べられた技術、システム、方法、装置、及びコンピュータ読み取り可能な媒体により対処される。
【発明の概要】
【０００４】
ここに与えられるものは、歯科補綴物設計での表面処置のための方法、システム、装置、及びコンピュータ読み取り可能な媒体である。この概要は、本発明を決して限定せず、代わりに少しの実施態様をまとめるために提供される。
【０００５】
これらの実施態様は、歯科補綴物設計での表面処置のためのシステム及び方法を含む。例えば、実施態様は、歯科補綴物の模型の表面を修正するためのコンピュータベースのインターフェースを準備すること；操作者が模型の表面の限られた処置を実施したいと思う一組の領域をコンピュータベースのインターフェースを介して受けること；及び操作者から受けた領域内の重複に関係なく、その一組の領域に基づいた表面の限られた処置と関連した限度まで表面の部分を処置することを含む。実施態様はまた、その一組の領域内に第一領域及びその一組の領域内に第二領域を受けること、但し第一領域と第二領域は特定の重複領域内で重複すること；及び特定の重複領域と関連した表面の部分を、重複にかかわらず、限られた処置と関連した限度までのみ処置することを含むことができる。
【０００６】
多数の他の実施態様がここに完全に記載される。
【０００７】
本発明及び従来技術を越えて達成された利点をまとめる目的のため、本発明の特定の目的及び利点がここに述べられる。もちろん、全てのかかる目的または利点が必ずしもいずれかの特定の実施態様により達成されることが必要でないことは理解されるべきである。従って、例えば、当業者は、本発明が、ここに教示されまたは示唆されることができる他の目的または利点を必ずしも達成することなしに、ここに教示されまたは示唆された一つの利点または一群の利点を達成または最適化する態様で実施されまたは実行されることができることは認識されるであろう。
【０００８】
これらの実施態様の全ては、ここに開示された発明の範囲内であることが意図されている。これらの及び他の実施態様は、添付図面を参照する以下の詳細な説明から当業者に容易に明らかとなるであろう。本発明は、いかなる特定の開示された実施態様（単数または複数）に限定されない。
【図面の簡単な説明】
【０００９】
【図１】図１は、歯科補綴物設計での表面処置のための第一インターフェースを示す。
【００１０】
【図２】図２は、歯科補綴物設計での表面処置のための例示システムを示す。
【００１１】
【図３Ａ−３Ｂ】図３Ａ−３Ｂは、歯科補綴物設計での表面処置のための二つの例示方法を示す。
【００１２】
【図４】図４は、歯科補綴物設計での表面処置のための第二インターフェースを示す。
【００１３】
【図５】図５は、歯科補綴物設計での表面処置のための第三インターフェースを示す。
【００１４】
【図６】図６は、歯科補綴物設計での表面処置のための第四インターフェースを示す。
【００１５】
【図７】図７は、歯科補綴物設計での表面処置のための第五インターフェースを示す。
【００１６】
【図８】図８は、歯科補綴物設計での第一表面処置を示す。
【００１７】
【図９】図９は、歯科補綴物設計での第二表面処置を示す。
【００１８】
【図１０】図１０は、歯科補綴物設計での第三表面処置を示す。
【００１９】
【図１１】図１１は、歯科補綴物設計での表面処置のための第六インターフェースを示す。
【００２０】
【図１２】図１２は、歯科補綴物設計での表面処置のための第七インターフェースを示す。
【発明を実施するための形態】
【００２１】
概観
伝統的に、歯科補綴物を設計するとき、操作者、歯科医、及び歯科従業者は、彼らが設計しようとする歯科補綴物の模型の表面を処置する。処置選択肢は限られるかもしれない。例えば、システムは、操作者が表面上の限られた数の点の中から選択すること、そして表面自身を修正するためにそれらの点を引張ったり、押したり、または動かしたりすることを可能にするかもしれない。操作者が限られた数の点より多く処置することができる仮想システムであっても、このタイプの処置は不便なものまたは厄介なものであるだろう。
【００２２】
別の選択肢は、操作者が補綴物の表面上に材料を「噴霧」することを可能にすることであるかもしれない。そうすることで、補綴物の表面は、噴霧の速度及び噴霧の時間量に基づいて修正されるだろう。従って、もし操作者がある点に有意な量の材料を付加することを望むなら、操作者は、噴霧をその一点に保持することができ、表面は噴霧の反対方向に変形し続けるだろう。
【００２３】
歯科補綴物を設計するためのこれらの方策のいずれにおいても、歯科補綴物に層を付加することまたは歯科補綴物から層を削除することは非常に困難であるだろう。ここに述べられる種々の方法、システム、技術及びコンピュータ読み取り可能な媒体は、操作者が補綴物の表面に比較的均一な層を付加すること、または補綴物の表面から比較的均一な層を引き去ることを可能にする。
【００２４】
図１は、オーバーレイされた表現部１１０、並びに断面部１２０を含むインターフェース１００の一例を示す。オーバーレイされた表現部１１０は、模型１１１の表面を示し、その表面は、設計される歯科補綴物の描写である。ここに述べられた種々の実施態様は、歯科補綴物の表面１１１に均一層を付加するためにまたは均一層を引き去るために、操作者が２Ｄまたは３Ｄのいずれかのマウス、キーボード、または他の入力装置を操作することを可能にするだろう。模型としての表面の図は、マウスが操作されるまたは表面１１１を処置する位置を示すためにマーキングされるかまたは着色１１２されることができる。
【００２５】
ある実施態様では、使用者は、均一層が付加される一組の領域を規定するために入力装置を使用する。これらの組の領域は、付加されるまたは引き去られる層の均一性を変えることなく重複することができる。これは、いずれの重複も表面上に追加の材料の付着を起こす噴霧ペイント法とは明確に対照的である。種々の実施態様において、操作者は、マウスクリック、キーストロークまたは他の入力を使用して層付着の開始を示し、層が行くべき場所のライン、点の組、領域の組、または他の表示を規定するためにマウスを操作し始めることができる。この入力により規定された領域は、領域中の重複にかかわらず、層と関連した限度まで処置される（例えば層付加または引き去り）だろう。
【００２６】
操作者は、補綴物にその領域の一般的な解剖学的形状を変えることなく追加の周囲または幅を与えるために補綴物の表面に均一層を付加することを望むかもしれない。操作者が均一層を付加することを望むかもしれない別の理由は、カットした修復物に被せを与えたりまたはカット修復物を厚くすることである。他の前述の処置方法は、必ずしもかかる均一層を付加するためのインターフェースを容易に提供しないだろう。
【００２７】
ここに述べられたタイプの処置は、完全な解剖学的修復物、完全な形態修復物、及び／またはカットされた修復物と共に使用されることができる。システムへの入力として使用される模型は、歯科ワックスアップの走査であることができ、ＣＡＤ設計プログラムで構築された歯科計画のＣＡＤ模型であることができ、または別の起源から来ることができる。さらに、これらの処置は、いかなるタイプの歯科補綴物設計と共に使用されることができる。
【００２８】
追加の実施態様及びさらなる説明は、以下に与えられる。
【００２９】
例示システム
図２は、歯科補綴物設計での表面処置のための例示システム２００を示す。このシステム２００は、一つ以上のディスプレイ２２０に結合された一つ以上のコンピュータ２１０、及び一つ以上の入力装置２３０を含むことができる。歯科医、歯科技術者、または他の人であることができる操作者２４０は、キーボード及び／またはマウスのような一つ以上の入力装置２３０を操作することによりシステム２００を使用して歯科補綴物を計画することができる。ある実施態様では、歯科計画を作りながら、操作者２４０は、ディスプレイ２２０上の歯科計画及び他の関連する歯科計画データを見ることができる。ディスプレイ２２０は、二つ以上のディスプレイ領域または部分を含むことができ、それらのそれぞれは歯科計画の異なる図を表示する。例えば、ある実施態様では、ディスプレイ２２０は、歯科計画を表現する半現実的な３Ｄ、歯科計画の局部的抜粋、及び／または歯科計画の部分表現を示すことができる。これらのディスプレイまたは部分のそれぞれは、プログラム内で内部的に及び／またはコンピュータ２１０上でデータを使用して結合されることができる。例えば、コンピュータ２１０上で実行されるプログラムは、メモリー内に歯科計画の単一内部表現を持つことができ、この内部表現は、ディスプレイ２２０上に二つ以上の抜粋でまたは半現実的な態様で表示されることができる。
【００３０】
ある実施態様では、操作者２４０は、歯科計画の特定の基礎構造上で、選択、移動、処置のような命令を実施すること、または透明、不透明、または不可視にすることができる。操作者２４０は、ディスプレイ２２０上に表示された歯科計画の抜粋または半現実版の一つの特定の領域上でマウスでクリックするような入力装置２３０を操作することによりこの命令を実施することができる。
【００３１】
種々の実施態様において、コンピュータ２１０は、一つ以上の処理器、一つ以上のメモリー、及び一つ以上の通信機構を含むことができる。ある実施態様では、一つより多いコンピュータが、ここで述べられたモジュール、方法、ブロック、及び工程を実行するために使用されることができる。さらに、ここでのモジュール及び工程は、一つまたは複数の処理器上で、一つ以上のコンピュータ上で、それぞれ実行することができ、またはここでのモジュールは、専用のハードウエア上で実行することができる。入力装置２３０は、一つ以上のキーボード（片手または両手用）、マウス、タッチスクリーン、音声命令及び関連ハードウエア、ジェスチャー認識、または操作者２４０とコンピュータ２１０の間の通信を提供する他の手段を含むことができる。ディスプレイ２２０は、二次元（「２Ｄ」）または３Ｄディスプレイであることができ、ＬＣＤ、ＣＲＴ、プラズマ、プロジェクション等のようないかなる技術に基づくこともできる。
【００３２】
システム２００の種々の要素間の通信は、ＵＳＢ、ＶＧＡケーブル、共軸ケーブル、（ＦｉｒｅＷｉｒｅ）、直列ケーブル、並列ケーブル、ＳＣＳＩケーブル、ＩＤＥケーブル、ＳＡＴＡケーブル、８０２．１１またはＢｌｕｅｔｏｏｔｈ（登録商標）に基づく無線、または他の有線または無線接続（単数または複数）を含む好適な接続を介して達成されることができる。システム２００内の要素の一つ以上もまた、組み合わせて単一ユニットまたはモジュールにすることができる。ある実施態様では、システム２００の全ての電子要素は、単一物理的ユニットまたはモジュール内に含まれる。
【００３３】
歯科補綴物設計での表面処置のための工程
図３Ａ及び３Ｂは、歯科補綴物設計での表面処置のための方法を示す。例示実施態様では、歯冠のための模型に均一層を付加することを望む操作者は、歯冠上でカーソルをマウスで動かし、マウスボタンを押し、及び歯冠のどの部分に均一層を付加すべきかを規定するためにマウスを動き回すのを開始することができる。操作者がマウスボタンを解放するとき、その均一層の付加は終わる。歯冠上の領域が付加される層の予め規定された限度より多くなければ、回数にかかわりなく操作者はカーソルをいかなる特定の領域上でもドラッグさせることができる。種々の実施態様では、操作者により規定された領域の縁（「境界帯」）は漸減されることができる。さらに、ある実施態様では、操作者は同様に均一層を除去または「薄く切り取る」ことができる。ある実施態様では、操作者は、均一層が付加されているときに（マウス移動時に）それを見ることができる。他の実施態様では、操作者は、活動が終わった後に均一層の付加を見る。種々の他の技術、実施態様、及び方法がさらにここに述べられる。
【００３４】
図３Ａに戻ると、ブロック３１０で、処置活動を開始するための指示を受ける。この指示は、マウスクリック、キーストローク、３Ｄマウスによるジェスチャー、言葉による信号、または他のタイプの入力であることができる。操作者は、処置活動の開始を指示することにより、処置活動時に規定されたその後の領域が同じ処置の全ての部分であることが示される。処置活動を開始するための指示は、例えば表面への層の付加または表面からの層の引き去りを示すことができる。例えば、左マウスクリックは、表面への付加を指示するかもしれず、右マウスクリックは、表面からの引き去りを指示するかもしれない。キーストロークはまた、層の付加または引き去りを示すために使用されることができる。例えば、制御Ｘは、表面から引き去るであろう処置活動を指示するかもしれず、制御Ｖは、表面に層を付加する活動の開始を指示するかもしれない。別の例として、処置活動は、左マウスボタンがまず下に保たれるときに開始することができ、処置活動は、左マウスボタンが解放されるまで続くことができる。
【００３５】
処置活動を開始するための指示がブロック３１０で受けられた後、次いでブロック３２０で、処置領域が操作者から受けられる。操作者が処置領域を特定することができる一つの方法は、図４のオーバーレイされた表現部４１０のようなオーバーレイされた表現部内の表面の上をマウスカーソルをドラッグすることによる。その場合に操作者により特定された処置領域は、処置されるべき関連半径または領域を持つ単一の場所であることができる。ある実施態様では、操作者は、処置される領域を示すために表面の上でマウスを動かし、次いでマウスボタンをクリックするかまたはキーボードキーを押すことができる。ブロック３２０は、図３Ａに示されたように、一組の処置領域を受けるために多数回実施されることができる。
【００３６】
ここに述べられているのは、表面上の種々の「領域」である。表面上の領域は、場所及び半径により規定されることができ、その場所は模型の表面上の一点である。多数のまたは組の領域は、模型上の一点から模型上の別の点までの線により、または模型上の一点から模型上の別の点までの曲線により規定されることができる。ある実施態様では、領域は円形でなくてもよいが、表面上に規定された線または曲線と関連している脊柱を持つ対象物であることができる。ある実施態様では、もし操作者が付加された層を除去することを決定するなら、操作者はキーストロークを打ち、最後の行動を「取り消す」言葉上の信号を与えることができる。
【００３７】
ブロック３２０で操作者から処置領域を受けた後、次いでブロック３３０で、この処置活動時に実施された前の処置を考慮して、表面が予め決められた限度まで処置される。従って、もしブロック３２０で受けた領域がこの処置活動時に予め決められた限度まで既に処置されたなら、そのとき表面はさらに処置されないであろう。もしブロック３２０で操作者から受けた表面の部分が既に処置されていたなら、そのとき表面の残りの部分がブロック３３０で予め決められた限度まで処置されることができる。例えばマウスボタンを押えつけながら表面を横切ってマウスをドラッグすることにより、処置されるべき領域を指示する操作者を考えて下さい。マウスがドラッグされるであろう経路の結合的性質のため、ブロック３２０で受ける処置されるべき領域は、部分的または実質的に重複するかもしれず、従って、それぞれの続いて処置される領域は、処置されるべき表面の小部分のみを存在させるかもしれない（なぜなら、現在の領域の多くがブロック３３０の前の繰り返しで処置されているからである）。
【００３８】
ある実施態様では、処置されるべき領域は、漸減された縁８１４を持つことができる。これは図８に示されている。処置されるべき領域８１３は、漸減された縁８１４を持つことができる。従って、処置されるべき領域８１３の一部は、初期表面８１１の上の処置限度８５０まで処置されるであろう。図８に示されたように、漸減縁８１４は、処置限度８５０から初期表面８１１まで下に行くことができる。
【００３９】
ある実施態様では、もし重複漸減縁８１６により示されるような漸減縁の重複があるなら、そのとき初期表面８１１が処置される量は、漸減縁のそれぞれがその点で表面を処置した量の関数であることができる。この関数は、加法的であることができ、それにより表面に８１６で示された重複に基づいて処置限度８５０まで表面に付加する。ある実施態様では、重複した漸減縁８１６で表面を処置する量は、漸減縁のいずれかが表面を個々に処置された最大であることができる。従って、ある実施態様では、もし表面８１１に沿った特定の点で、一つの漸減縁が処置限度８５０の８０％まで表面を処置し、その他が処置限度の７０％まで表面を処置したなら、そのとき表面が処置される量は処置限度８５０の８０％のままであるだろう。
【００４０】
処置されるべき領域の漸減縁は、図８の８２１及び８２２として示された「境界帯」により規定されることができる。境界帯８２１及び８２２は、処置されるべき領域を囲む小さな領域であることができ、またはそれは、処置されるべき領域の縁の帯であることができる。境界帯８２１及び８２２を越えて表面が処置される量は、直線として、曲線（図８に示されるような）として、シヌソイドとして、またはいずかの適切な態様で、漸減されることができる。境界帯を越えた点は、ゼロにより処置されることができ、または言い換えれば、少しも処置されることができず、かつ表面は同じレベルのままであるだろう。
【００４１】
再度、図３Ａに戻ると、ブロック３４０で、処置されるさらなる領域があるかどうかの決定は、マウスクリック、マウスジェスチャー、３Ｄマウスジェスチャー、キーボードストローク等、または処置活動が終わるべきであることを示す他の信号を受けることを含むことができる。もしその信号を受けなかったなら、そのとき工程は、別の処置領域を操作者から受けるためにブロック３２０に戻ることができる。もしブロック３４０で決定されたように、処置される領域がもはやないなら、そのときブロック３５０で、処置活動は終了される。任意選択的に、工程は、ブロック３１０で別の新しい処置活動を開始するための別の指示を待機するか、またはそうでなければそれを受けることを含むことができ、工程３００は再度始めることができる。
【００４２】
工程のブロック３００は、いずれの順序でも実施されることができ、追加のブロックが付加されることができる。さらに、あるブロックは併合されるかまたは全く省かれることができる。例えば、図３Ｂには、歯科補綴物設計の表面処置のための工程３０１が示されている。工程３００の場合のように、工程３０１は、処置活動を開始する指示を受けることにより始まる。その指示を受けた後、処置する表面上の一組の領域を受ける。この組の領域は、操作者から受けることができ、操作者が領域を示すためにマウスをドラッグすることまたは他の態様を含む、工程３００に関して述べられた態様のいずれかで受けることができる。これらの受けた処置される領域と関連した処置は、直ちに操作者に表示されることができ、またはある時間の後に表示されることができ、または処置活動が終わった後に表示されることができる。
【００４３】
処置されるべき領域の組は、処置活動を終了する指示がブロック３６０で受けるまでブロック３２１で受ける。処置活動を終了するためのこの指示は、工程３００に関して述べられた形のいずれかを取ることができる。ブロック３７０で、表面は、いかなる重複にもかかわらず、予め規定された限度まで処置される。表面を処置する量は、処置が望まれる領域の全てを見ることにより、そしてそれらの領域に対し、表面を予め規定された限度まで処置することにより決定されることができる。この方法では、工程は、全活動の価値ある領域が重複及び表面処置を決定する前に操作者から受けられるまで待機することができる。
【００４４】
別の例として、ある実施態様では、処置活動は、キーストロークを押すことにより（例えばブロック３１０）開始されることができ、そのとき処置する領域は、マウスボタンの連続クリックにより（例えばブロック３２０または３２１）示されることができ、別のキーストロークは、処置活動の終わりを示す（例えばブロック３４０または３６０）ことができる。ある実施態様では、処置活動の開始は、左マウスクリックにより（例えばブロック３１０）示すことができ、処置する領域は、右マウスクリックにより（例えばブロック３２０または３２１）選ばれることができ、続く左マウスクリックは、処置活動の終わりを示す（例えばブロック３４０または３６０）ことができる。
【００４５】
歯科補綴物設計での表面処置のためのインターフェース例
図４は、オーバーレイ表現部４１０と断面部４２０を含むインターフェース４００を示す。オーバーレイ表現部４１０は、表面４１１、並びに表面の前に処置された部分４１３を示す。
【００４６】
図５は、歯科補綴物設計での表面処置のための別のインターフェース５００を示す。インターフェース５００は、オーバーレイされた表現部５１０、断面部５２０、及び処置メニュー５３０を含む。ある実施態様では、処置メニュー５３０は、いつでも操作者が見ることができる。他の実施態様では、処置メニューは、インターフェース５００上で隠されるかまたは部分的に隠されることができ、それが示される前に、例えばキーストロークにより、プルアウトされ、クリックオンされ、またはそうでなければ開かれることができる。例えば、処置メニュー５３０は、ドロップダウンボックスとしてまたはショートカットキーを実施することにより開かれることができる。処置メニューは、カウンター、テキストボックス、または次の層と関連した処置限度を変える他の態様を含むことができる。すなわち、処置メニュー５３０は、表面５１１に付加されるまたは表面５１１から引き去られる層の厚さ（例えば処置の「変形強度」）を操作者が変えることを可能にすることができる。表面５１１に付加されるまたは表面５１１から引き去られる処置層の厚さは、制御キーのようなキーボードキーを押しつけること、及びマウスまたはマウスホイールを操作することを含む多くの方法で変えられることができる。処置メニューはまた、処置されるべき領域がどのぐらい広く規定されるべきであるかを操作者が規定可能にする影響部の半径または領域を持つことができる。表面５１１のための処置領域の半径（例えば影響半径）はまた、シフトキーのようなキーボードキーを押しつけること、及びマウスまたはマウスホイールを操作することを含む多数の方法で変えられることができる。
【００４７】
図６は、歯科補綴物設計での表面処置のためのインターフェースの別の例を示す。インターフェース６００は、オーバーレイされた表現部６１０及び断面部６２０を含む。表面６１１は、オーバーレイされた表現部６１０内に示されている。表面６１１上には表面６１３の前に処置された部分があり、濃色で見えるのは、表面６１５の現在処置される部分である。表面６１３の前に処置された部分は、それ自身の（今は閉じられた）処置活動と関連している。その処置活動に続いて、処置活動時に付加される層は、その下にある表面（例えば表面６１１）の考慮部である。従って、次の処置活動が開始するとき、第二の処置部６１５は、前に処置された部分の上に付加されることができ、それにより下にあった表面６１１に二つの層を付加することができる。
【００４８】
断面部６２０に戻ると、断面部は、表面の断面、並びにコーピングまたは支持歯のような下にある構造を示す。断面部は、操作者が歯科補綴物設計に付加される歯冠または他の構造の厚さを見ることを可能にすることができる。ある歯科補綴物設計は、材料、必要強度、または他のパラメーターに基づいた厚さを必要とする。断面部は、操作者が厚さを迅速に見ることができ、従って表面６１１のどの部分に層を付加するべきかを知ることを可能にすることができる。
【００４９】
図７は、歯科補綴物設計での表面処置のためのインターフェース７００を示す。図７は、歯科補綴物設計のためのインターフェース７００が前のインターフェースの幾つかで述べたものより多いウインドウを含むことができることを示す。例えば、インターフェース７００は、歯科補綴物の表面７１１を表示するオーバーレイされた表現部７１０を含むことができる。インターフェースはまた、断面部７２０のためのタブ、局所化された引き去り部７４０、全体的にされた引き去り部７５０のためのタブ、及び／または処置メニュー部７３０を含むことができる。
【００５０】
他のインターフェースの多くの例及びインターフェースの部分の付加のための選択肢が、２０１０年２月１０日に出願され、「Ｄｅｎｔａｌ  Ｐｒｏｓｔｈｅｔｉｃｓ  Ｍａｎｉｐｕｌａｔｉｏｎ」と題された、米国特許出願番号１２／７０３６０１に記載されており、それは全ての目的のためにその全体を参考としてここに組み込まれる。
【００５１】
歯科補綴物設計での表面処置
図８〜１０は、歯科補綴物の処置表面の例を示す。図８に関する種々の例及び実施態様は、ここ以外にも述べられている。図９は、前に処置された表面９１３が初期表面９１１に付加された後になされる表面９１５の第二処置を示す。図９に示されたように、前に処置された表面９１３が付加され、その処置と関連した処置活動が完了した後、その前に処置された表面９１３が今や表面の考慮部であり、新しい処置限度９５１が前に処置された表面９１３の上に延ばされる。従って、新しい処置表面９５１は、前に処置された表面９１３に従い、初期表面９１１には従わない。新しい処置が開始されるとき、表面９１５の第二処置が付加されることができ、表面９１５のその第二処置がここ以外に述べられた態様で新しい処置限度９５１まで表面に付加するであろう。
【００５２】
図１０は、表面１０１１からの引き去り、表面１０１１の切開、または表面１０１１中への引っ込みを示す。初期表面１０１１は、引っ込んだ、追い出された、またはその他の処置をされたその表面の部分を持つことができる。表面への付加と同様に、表面からの引き去りもまた、処置限度１０５０と関連させられる。操作者は、種々の技術及びここでの実施態様を用いて、表面１０１４を処置する領域を提供することができる。その後、初期表面１０１１は引き去られた表面を持ち、結果は新しい表面である。図１０に示されたような表面からの引き去りは、表面からの他の引き去りまたは表面への他の付加に関連して使用されることができ、操作者が、希望の結果を達成するために表面の一部に様々に付加すること及びそれから引き去ることを可能にする。
【００５３】
他の実施態様
図１１及び１２は、歯科補綴物設計での表面処置のための例示インターフェースを示す。図１１は、断面部１１２０、オーバーレイされた表現部１１１０、及び処置メニュー部１１３０を含む単一インターフェース１１００を示す。図１２に示されたように、インターフェースの部分は、多数のディスプレイ上に、多数のウインドウで、及び／または別個のインターフェースの一部として表示されることができる。図１２は、インターフェースが二つのインターフェース１２００及び１２０１に分割されることができることを示し、部分の幾つかは１２００上に表示され、部分の幾つかは１２０１上に表示されている。例えば、インターフェース１２００は、オーバーレイされた表現部１２１０と処置部１２３０を含み、一方、インターフェース１２０１は断面部１２２０を含むことができる。インターフェースは、単一コンピュータまたは多数のコンピュータを用いて多数のモニター上でまたは単一モニター上で表示されることができる。
【００５４】
ここに述べられた工程及びシステムは、コンピュータシステムのような種々のタイプのハードウエア上で実施されることができ、またはそれらを包含することができる。ある実施態様では、コンピュータ２１０、ディスプレイ２２０、及び／または入力装置２３０は、それぞれ別個のコンピュータシステム、アプリケーション、または工程であることができ、または同じコンピュータシステム、アプリケーション、または工程の一部として実行することができ−または一つ以上が一つのアプリケーションまたは工程の一部として実行するように組み合わされることができ−及び／またはそれぞれまたは一つ以上がコンピュータシステムの一部であることができまたはコンピュータシステム上で実行されることができる。コンピュータシステムは、情報通信のためのバスまたは他の通信機構、及び情報処理のためのバスと結合された処理器を含むことができる。コンピュータシステムは、バスに結合されたランダムアクセスメモリまたは他の動的記憶装置のような主メモリー装置を持つことができる。主メモリー装置は、命令及び一時的数値変数を格納するために使用されることができる。コンピュータシステムはまた、静的情報及び命令を格納するためにバスに結合された読み出し専用メモリーまたは他の静的記憶装置を含むことができる。コンピュータシステムはまた、ＣＲＴまたはＬＣＤモニターのようなディスプレイに結合されることができる。入力装置はまた、コンピュータシステムに結合されることができる。これらの入力装置は、マウス、トラックボール、またはカーソル方向キーを含むことができる。
【００５５】
各コンピュータシステムは、一つ以上の物理的コンピュータまたはコンピュータシステムまたはそれらの部分を使用して実施されることができる。コンピュータシステムにより実行される命令はまた、コンピュータ読み取り可能媒体から読み取られることができる。コンピュータ読み取り可能媒体は、ＣＤ、ＤＶＤ、光または磁気ディスク、レーザーディスク（登録商標）、搬送波、またはコンピュータシステムにより読み取り可能である他の媒体であることができる。ある実施態様では、配線された回路が、処理器により実行されるソウトウエア命令の代わりにまたはそれらと組み合わせて使用されることができる。モジュール、システム、装置、及び要素間の通信は、直接連結された配線、または他の適切な通信機構を介しての直接または交換結合、及び有線または無線網または結合を通してであることができる。モジュール、システム、装置、及び要素間の通信は、ハンドシェーク方式、通知、協調、隠蔽、暗号化、ルーティングまたは誤り検出ヘッダーのようなヘッダー、または他の適切な通信プロトコルまたは属性を含むことができる。通信はまた、ＨＴＴＰ，ＨＴＴＰＳ，ＦＴＰ，ＴＣＰ，ＩＰ，ｅｂＭＳ  ＯＡＳＩＳ／ｅｂＸＭＬに関するメッセージ、固定ソケット、ＶＰＮ、暗号化されたまたは暗号化されていないパイプ、ＭＩＭＥ，ＳＭＴＰ，ＭＩＭＥ複数パート／関連内容種別、ＳＱＬ等であることができる。
【００５６】
いかなる適切な３Ｄグラフィックス処理も、ＯｐｅｎＧＬ、Ｄｉｒｅｃｔ３Ｄ、Ｊａｖａ（登録商標）３Ｄ等に基づいた処理を含む表示またはレンダリングのために使用されることができる。全体的、部分的、または修正された３Ｄグラフィックスパッケージがまた、使用されることができ、かかるパッケージは、３ＤＳ  Ｍａｘ，ＳｏｌｉｄＷｏｒｋｓ，Ｍａｙａ，Ｆｏｒｍ  Ｚ，Ｃｙｂｅｒｍｏｔｉｏｎ  ３Ｄなどを含む。ある実施態様では、必要なレンダリングの種々の部分が、伝統的なまたは専用化されたグラフィックスハードウエア上で発生することができる。レンダリングはまた、一般的なＣＰＵ上で、プログラマブルハードウエア上で、別個の処理器上で発生することができ、複数の処理器を通して、複数の専用グラフィックスカードを通して、またはハードウエアまたは技術のいずれかの他の適切な組み合わせを使用して分散されることができる。
【００５７】
明らかなように、上で開示された特定の実施態様の特徴及び属性は、追加の実施態様を形成するために様々な方法で組み合わされることができ、それらの全ては本開示の範囲内に入る。
【００５８】
ここで使用された条件言語、特に「できる（ｃａｎ）」「できた（ｃｏｕｌｄ）」「かもしれなかった（ｍｉｇｈｔ）」「かもしれない（ｍａｙ）」「例えば（ｅ．ｇ．）」等は、そうでないと特別に述べられなければ、または使用されたときの文章内でそうでないと理解されなければ、一般的に、ある実施態様はある特徴、要素及び／または状態を含むが、他の実施態様はそれらを含まないことを意味することを意図されている。従って、かかる条件言語は、特徴、要素及び／または状態が一つ以上の実施態様のためにとにかく必要であること、または一つ以上の実施態様が、著者の入力のあるなしにかかわらず、これらの特徴、要素及び／または状態が含まれるかどうかまたはいずれかの特定の実施態様で実施されるべきであるかどうかを決定するためのまたは思いつかせるための論理を必然的に含むことを包含することを一般的に意図されていない。
【００５９】
ここに述べられた及び／または添付図面内に示されたフロー図のいずれの工程説明、要素、またはブロックも特定の論理機能または工程の段階を実施するための一つ以上の実行可能な命令を含むコードのモジュール、セグメント、または部分を潜在的に表わすものとして理解されるべきである。代替実施は、ここに述べられた実施態様の範囲内に含まれ、そこでは当業者により理解されるように、含まれた機能性に依存して、要素または機能は削除され、実質的に同時または逆順序を含む示されたまたは検討された順序から外れて実行されることができる。
【００６０】
上で述べられた方法及び工程の全ては、上で述べられたそれらのコンピュータシステムのような一つ以上の汎用目的コンピュータまたは処理器により実行されるソフトウエアコードモジュールにおいて具体化され、それを介して完全に自動化されることができる。コードモジュールは、いかなるタイプのコンピュータ読み取り可能な媒体または他のコンピュータ記憶装置内に格納されることができる。幾つかのまたは全ての方法は、代替的に専用化されたコンピュータハードウエア内で具体化されることができる。
【００６１】
多くの変更及び修正が上述の実施態様になされることができ、それらの要素は特に容認できる例として理解されるべきである。全てのかかる修正及び変更は、この開示の範囲内でここに含まれること及び請求項により保護されることを意図されている。
【図１】
2013535263.tif 000003
【図２】
2013535263.tif 000004
【図３Ａ−３Ｂ】
2013535263.tif 000005
【図４】
2013535263.tif 000006
【図５】
2013535263.tif 000007
【図６】
2013535263.tif 000008
【図７】
2013535263.tif 000009
【図８】
2013535263.tif 000010
【図９】
2013535263.tif 000011
【図１０】
2013535263.tif 000012
【図１１】
2013535263.tif 000013
【図１２】
2013535263.tif 000014
【国際調査報告】
2013535263.tif 000015
2013535263.tif 000016
2013535263.tif 000017
2013535263.tif 000018